(57)【要約】【課題】パソコンに接続されるＵＳＢケーブルの接続状態を容易に、かつ、簡単にＵＳＢ機器でも確認できるようにする。【解決手段】ＵＳＢケーブル３をパソコンに接続して任意のＵＳＢ音声データＤＩＮを処理するオーディオ機器であって、パソコンに接続されるＵＳＢケーブル３の接続有無を検出するＵＳＢコネクタ部１１と、このＵＳＢコネクタ部１１により検出されたＵＳＢケーブル３の接続有無に基づいて通信状態内容を映像表示する表示管２７とを備えるものである。この構成によって、ＵＳＢ機器内蔵のオーディオ機器２の表示管２７に映像表示された通信状態内容から、ユーザは、パソコンに接続されるＵＳＢケーブル３のオーディオ機器２における接続状態を容易に、かつ、簡単に確認することができる。【選択図】        図２
2005004445.tif 000002
【特許請求の範囲】
【請求項１】
所定の通信規格の信号線を送信側の情報処理系に接続して任意の情報を処理する装置であって、
前記送信側の情報処理系に接続される前記信号線の接続有無を検出する検出手段と、
前記検出手段により検出された前記信号線の接続有無に基づいて通信状態内容を映像表示する表示手段とを備えることを特徴とする情報処理装置。
【請求項２】
前記所定の通信規格の信号線は、ＵＳＢ規格の通信ケーブルであることを特徴とする請求項１に記載の情報処理装置。
【請求項３】
所定の通信規格の信号線により送信側の情報処理系と受信側の情報処理系とを接続して任意の情報を処理する装置であって、
前記送信側の情報処理系に接続される前記信号線の接続有無を検出する検出手段と、
前記送信側の情報処理系に対する通信処理が可能か否かを判別する制御手段と、
前記検出手段により検出された前記信号線の接続有無及び前記制御手段によって判別された前記送信側の情報処理系に対する通信結果に基づいて通信状態内容を前記受信側の情報処理系に映像表示する表示手段とを備えることを特徴とする情報処理装置。
【請求項４】
前記所定の通信規格の信号線は、ＵＳＢ規格の通信ケーブルであることを特徴とする請求項３に記載の情報処理装置。
【請求項５】
所定の通信規格の信号線により送信側の情報処理系と受信側の情報処理系とを接続して任意の情報を処理する方法であって、
前記受信側の情報処理系において前記信号線の接続有無を検出し、
検出された前記信号線の接続有無に基づいて当該受信側の情報処理系に通信状態内容を映像表示することを特徴とする情報処理方法。
【請求項６】
前記所定の通信規格の信号線には、ＵＳＢ規格の通信ケーブルが使用され、前記受信側の情報処理系には、ＵＳＢ機器内蔵のオーディオ機器が使用されることを特徴とする請求項５に記載の情報処理方法。
【請求項７】
所定の通信規格の信号線により送信側の情報処理系と受信側の情報処理系とを接続して任意の情報を処理する方法であって、
前記受信側の情報処理系において前記信号線の接続有無を検出し、かつ、前記送信側の情報処理系に対する通信処理が可能か否かを検出し、
検出された前記信号線の接続有無及び前記送信側の情報処理系に対する通信結果に基づいて通信状態内容を前記受信側の情報処理系に映像表示することを特徴とする情報処理方法。
【請求項８】
前記所定の通信規格の信号線には、ＵＳＢ規格の通信ケーブルが使用され、前記受信側の情報処理系には、ＵＳＢ機器内蔵のオーディオ機器が使用されることを特徴とする請求項７に記載の情報処理方法。
【発明の詳細な説明】
【０００１】
【発明の属する技術分野】
本発明は、パーソナルコンピュータ（以下単にパソコンという）に接続可能なＵＳＢ機器を内蔵したオーディオ機器に適用して好適な情報処理装置及び情報処理方法に関するものである。
【０００２】
詳しくは、ＵＳＢ通信規格の通信ケーブルをパソコンに接続してオーディオ情報等を処理する場合に、パソコンに接続されるＵＳＢ通信ケーブルの接続有無に基づいて通信状態内容を映像表示する表示手段を備え、この表示手段に映像表示された通信状態内容から、当該オーディオ機器におけるＵＳＢ通信ケーブルの接続状態を容易に、かつ、簡単に確認できるようにしたものである。
【０００３】
【従来の技術】
近年、オーディオ機器や、デジタルカメラ、スキャナ、プリンタ、テレビ受像機（ビジュアル機器）等の周辺機器に関して、パソコンに接続可能なＵＳＢ機器を使用する場合が多くなってきた。ＵＳＢ通信規格は、現在のパソコンにおいて標準装備され、ＵＳＢハブを介して１つのポートに最大１２７台の周辺機器をスター型に接続できるようになされている。また、ＵＳＢ機器は、電源を入れたまま周辺機器の接続及び切断が可能である。
【０００４】
周辺機器であるキーボード、マウス等は、比較的低速なデバイスであり、通信速度は１．５Ｍｂｐｓ及び、１２Ｍｂｐｓの２種類が用意されている。現在ではＵＳＢ２．０規格により、転送速度が３６０Ｍｂｐｓ〜４８０Ｍｂｐｓに向上し、高速データ転送が可能となり、音楽データや画像データの転送も可能となった。
【０００５】
従来方式のＵＳＢ機器は、パソコンでユーザーの操作により制御されるものが多く、ＵＳＢ機器の接続状態等の情報は、パソコンにおいて確認できればよかった。音楽データや画像データの転送においては、ＵＳＢ機器がオーディオ機器やビジュアル機器といったものとなり、パソコンからＵＳＢ機器に対する操作のみならず、ＵＳＢ機器からパソコン上のアプリケーションソフトを操作することができる。
【０００６】
なお、特許文献１には携帯型無線通信機器に係る接続ユニット等が開示されている。この接続ユニットによれば、ＵＳＢケーブルを接続するＵＳＢ機器（アタッチメント）が設けられ、このアタッチメントに表示部が設けられる。表示部には、周辺機器との通信状態を表示したり、周辺機器の通信プロトコルをバー状のセグメント点灯により表示するようになされる。
【０００７】
また、特許文献２にはデジタルカメラ等が開示されている。このデジタルカメラによれば、表示手段が設けられ、当該デジタルカメラと情報端末装置とがＵＳＢケーブルで接続され、この間で通信可能な状態において、情報端末装置との接続状態をＬＣＤ等の表示手段に表示し、容易に、ＬＣＤで確認できるようになされる。
【０００８】
更に、特許文献３には表示処理装置等が開示されている。この表示処理装置によれば、液晶表示ユニットが設けられ、コンピュータ周辺装置とコンピュータとがＵＳＢケーブルで接続され、この間で通信可能な状態において、コンピュータ周辺装置とコンピュータとの接続状態を液晶表示ユニットに表示し、容易に、液晶表示ユニットで確認できるようになされる。
【０００９】
【特許文献１】
特開２００２−３３５３４４号公報（第６頁、図４）
【特許文献２】
特開２００３−６０９４１号公報（第４頁、図６）
【特許文献３】
特開２００２−２６９０２５号公報（第４頁、図２）
【００１０】
【発明が解決しようとする課題】
ところで、従来例に係るオーディオ機器等のＵＳＢ機器によれば、次のような問題がある。
▲１▼  特許文献１〜３に示すようなＵＳＢ機器をパソコンに直接接続して使用する場合、ＵＳＢ機器の接続状態等の情報は、パソコンにおいてしかユーザが知ることができない。従って、ユーザがＵＳＢ機器を操作していてＵＳＢ機器側でパソコンの接続状態を正しく把握するのが困難となっているのが現状である。
【００１１】
▲２▼  また、ＵＳＢハブを使用して周辺機器とパソコンとを接続する場合、パソコンにおいてユーザが知る方法か、あるいは、ＵＳＢハブのＬＥＤ点灯、消灯、点滅により知る方法が採られる。従って、ユーザがＵＳＢハブのＬＥＤの点灯、消灯、点滅により、接続状態の異常を知った場合においても、ユーザは、パソコン、ＵＳＢハブ、ＵＳＢ機器のそれぞれの取扱説明書を参照しながら、トライアンドエラーを繰り返して、トラブルの原因をつきとめなければならない。これにより、トラブルを解決するのに多くの無駄な時間を費やすおそれがある。
【００１２】
そこで、この発明はこのような従来の課題を解決したものであって、送信側の情報処理系に接続される信号線の接続状態を容易に、かつ、簡単に受信側の情報処理系でも確認できるようにした情報処理装置及び情報処理方法を提供することを目的とする。
【００１３】
【課題を解決するための手段】
上述した課題は、所定の通信規格の信号線を送信側の情報処理系に接続して任意の情報を処理する装置であって、送信側の情報処理系に接続される信号線の接続有無を検出する検出手段と、この検出手段により検出された信号線の接続有無に基づいて通信状態内容を映像表示する表示手段とを備えることを特徴とする第１の情報処理装置によって解決される。
【００１４】
本発明に係る第１の情報処理装置によれば、所定の通信規格の信号線を送信側の情報処理系に接続して任意の情報を処理する場合に、送信側の情報処理系に接続される信号線の接続有無が検出手段によって検出される。表示手段では、検出手段により検出された信号線の接続有無に基づいて通信状態内容を映像表示するようになる。
【００１５】
従って、ＵＳＢ機器内蔵の情報処理装置等において、表示手段に映像表示された通信状態内容から、ユーザは、送信側の情報処理系に接続される信号線の接続状態を容易に、かつ、簡単に確認することができる。
【００１６】
本発明に係る第２の情報処理装置は、所定の通信規格の信号線により送信側の情報処理系と受信側の情報処理系とを接続して任意の情報を処理する装置であって、送信側の情報処理系に接続される信号線の接続有無を検出する検出手段と、この送信側の情報処理系に対する通信処理が可能か否かを判別する制御手段と、検出手段により検出された信号線の接続有無及び制御手段によって判別された送信側の情報処理系に対する通信結果に基づいて通信状態内容を受信側の情報処理系に映像表示する表示手段とを備えることを特徴とするものである。
【００１７】
本発明に係る第２の情報処理装置によれば、所定の通信規格の信号線を送信側の情報処理系に接続して任意の情報を処理する場合に、送信側の情報処理系に接続される信号線の接続有無が検出手段によって検出される。制御手段では、送信側の情報処理系に対する通信処理が可能か否かが判別される。表示手段では、検出手段により検出された信号線の接続有無及び制御手段によって判別された送信側の情報処理系に対する通信結果に基づいて通信状態内容を受信側の情報処理系に映像表示するようになされる。
【００１８】
従って、ＵＳＢ機器内蔵の情報処理装置等において、表示手段に映像表示された通信状態内容から、ユーザは、送信側の情報処理系に接続される信号線の接続状態を容易に、かつ、簡単に確認することができる。しかも、当該信号線が送信側の情報処理系に物理的に接続されている場合であっても、送信側の情報処理系に対する通信ができない場合は、送信側の情報処理系に対する通信経路が確立されていない旨を表示することができる（故障箇所区分表示）。
【００１９】
本発明に係る第１の情報処理方法は、所定の通信規格の信号線により送信側の情報処理系と受信側の情報処理系とを接続して任意の情報を処理する方法であって、受信側の情報処理系において信号線の接続有無を検出し、ここで検出された信号線の接続有無に基づいて当該受信側の情報処理系に通信状態内容を映像表示することを特徴とするものである。
【００２０】
本発明に係る第１の情報処理方法によれば、所定の通信規格の信号線により送信側の情報処理系と受信側の情報処理系とを接続して任意の情報を処理する場合に、受信側の情報処理系に映像表示された通信状態内容から、信号線の接続状態を容易に、かつ、簡単に確認することができる。
【００２１】
本発明に係る第２の情報処理方法は、所定の通信規格の信号線により送信側の情報処理系と受信側の情報処理系とを接続して任意の情報を処理する方法であって、受信側の情報処理系において信号線の接続有無を検出し、かつ、送信側の情報処理系に対する通信処理が可能か否かを検出し、ここで検出された信号線の接続有無及び送信側の情報処理系に対する通信結果に基づいて通信状態内容を受信側の情報処理系に映像表示することを特徴とするものである。
【００２２】
本発明に係る第２の情報処理方法によれば、所定の通信規格の信号線により送信側の情報処理系と受信側の情報処理系とを接続して任意の情報を処理する場合に、受信側の情報処理系に映像表示された通信状態内容から、信号線の接続状態を容易に、かつ、簡単に確認することができる。しかも、当該信号線が情報処理系に物理的に接続されている場合であっても、送信側の情報処理系に対する通信ができない場合は、送信側の情報処理系に対する通信経路が確立されていない旨を表示することができる（故障箇所区分表示）。これにより、ユーザは、ＵＳＢ機器等の接続状態を正しく把握することができ、トラブルを効率よく解決できるようになる。
【００２３】
【発明の実施の形態】
続いて、この発明に係る情報処理装置及び情報処理方法の一実施の形態について、図面を参照しながら説明をする。
（１）第１の実施形態
図１は本発明に係る第１の実施形態としてのオーディオ機器２の適用例を示すシステム図である。
この実施形態ではＵＳＢ通信規格の通信ケーブルをパーソナルコンピュータ（送信側の情報処理系：以下単にパソコンという）に接続してオーディオ情報等を処理する場合に、パソコンに接続されるＵＳＢ通信ケーブルの接続有無に基づいて通信状態内容を映像表示する表示手段を備え、この表示手段に映像表示された通信状態内容から、当該オーディオ機器におけるＵＳＢ通信規格の通信ケーブルの接続状態を容易に、かつ、簡単に確認できるようにしたものである。
【００２４】
図１に示すオーディオ機器２は情報処理装置の一例であり、図示しないＵＳＢ（Ｕｎｉｖｅｒｓａｌ  Ｓｅｒｉａｌ  Ｂｕｓ）端子を有しており、所定の通信規格の信号線の一例となるＵＳＢ通信規格の通信ケーブル（以下ＵＳＢケーブル３という）をパソコン１に直接接続して任意のオーディオ情報を処理する装置である。ＵＳＢとは、低速、中速向けの直列データ（シリアルデータ）転送規格をいう。ＵＳＢケーブル３は、キーボードやマウスなどさまざまな周辺機器を接続するために使用される。
【００２５】
このオーディオ機器２は、オーディオ機器本体２１と左右チャネル用のスピーカ４，５を有しており、ＣＤやＭＤ、ＴＡＰＥを再生したり、ＴＵＮＥＲによって既存の放送番組を受信するようになされる。オーディオ機器本体２１には操作パネル２２が設けられる。操作パネル２２には電源スイッチ２３や、音量調整用のボリューム２４、ファンクション切換え器２５、チューニングボタン２６、表示管２７等を備えている。オーディオ機器２は、ＣＤやＭＤ、ＴＡＰＥ、ＴＵＮＥＲ等の音声あるいは音楽再生機能に加えて、ＵＳＢスピーカー機能を内蔵している。オーディオ情報は、パソコン１からＵＳＢインターフェース経由でオーディオ情報を取り込み、情報処理後のオーディオデータを左右チャネル用のスピーカ４，５に入力され、音量調節以外には特に制御されることなくスピーカー４，５から出力される。
【００２６】
ＵＳＢスピーカー機能は、ファンクションの一つとして組み込まれており、既存のスピーカ４，５をＵＳＢスピーカーとして使用する場合は、電源スイッチ２３をオン（ＰＯＷＥＲ−ＯＮ）してパソコン１とＵＳＢケーブル３を接続する以外に、キー操作してＵＳＢスピーカー専用のファンクションを選択し、ＵＳＢスピーカー機能を設定して使用される。このようにすると、ＰＯＷＥＲ−ＯＮすると共に、常にＵＳＢスピーカー機能を動作させて、オーディオ機器２において、パソコン１から出力される音情報を鳴らすような仕様にすることができる。
【００２７】
図２はオーディオ機器２の内部構成例を示すブロック図である。オーディオ機器２はＵＳＢ端子２８を有している。この例で、パソコン１とオーディオ機器２を直接接続する場合であって、ＵＳＢケーブル３がＵＳＢ端子２８に接続されているかどうかの判断は、ＵＳＢ端子２８に印加されるＶｂｕｓ信号の有無により判断できる。Ｖｂｕｓ信号は、パソコン１からオーディオ機器２に供給され、オーディオ機器本体２１において、接続状態の判別に使用される。その接続状態は、オーディオ機器２の表示管２７等に『ＵＳＢ  ＯＦＦ』というような表示により行われる。
【００２８】
図２に示すオーディオ機器２は、ＵＳＢコネクタ部１１、ＵＳＢドライバ１２、ＵＳＢファンクション部１３、入出力インターフェース１４、ＣＰＵ（Ｃｅｎｔｒａｌ  Ｐｒｏｃｅｓｓｉｎｇ  Ｕｎｉｔ；中央処理ユニット）１５、ＲＯＭ（Ｒｅａｄ  Ｏｎｌｙ  Ｍｅｍｏｒｙ）１６、ＲＡＭ（Ｒａｎｄｏｍ  Ａｃｃｅｓｓ  Ｍｅｍｏｒｙ）１７、表示コントローラ１８、オーディオコントロール部１９、オーディオ処理部２０、表示管２７及び内部バス２９から構成される。
【００２９】
ＵＳＢコネクタ部１１は検出手段の一例であり、当該ＵＳＢコネクタ部１１にはＵＳＢケーブル３の一端が接続され、その他端はパソコン１に接続される。ＵＳＢケーブル３は４本の信号線から構成される。第１の信号線にはＶｂｕｓ信号が伝送され、第２及び第３の信号線にはオーディオ情報等のＵＳＢ信号Ｄ＋、Ｄ−が伝送され、第４の信号線は、接地電位（ＧＮＤ）となされる。
【００３０】
ＵＳＢコネクタ部１１は、パソコン１からＶｂｕｓ信号を受信し、当該Ｖｂｕｓ信号を検出して、ＵＳＢケーブル３の接続有無を検出するようになされる。もちろん、これに限られることはなく、ＵＳＢケーブル３の他端はＵＳＢハブに接続され、ＵＳＢハブから出力されるＶｂｕｓ信号を受信して検出することもある。当該オーディオ機器２は、パソコン１のオペレーティング・システムによって自動的に存在が確認され、必要なデバイス・ドライバが自動的に組み込まれるようになる。これにより、パソコン１におけるオーディオ機器２の組み込みが大幅に簡易化される。
【００３１】
ＵＳＢドライバ１２は、パソコン１から受信したＵＳＢ音声情報Ｄｉｎを信号変換したり、信号変換後のＵＳＢ音声データＤＩＮを増幅する。ＵＳＢファンクション部１３はＵＳＢ通信規格に基づいてＵＳＢプロトコル管理を行う。例えば、ＵＳＢファンクション部１３は、内部バス２９を介してＣＰＵ１５からＵＳＢ制御信号Ｓ１を入力し、このＵＳＢ制御信号Ｓ１に基づいてＵＳＢ音声信号ＳＩＮに変換し、変換後のオーディオ信号ＳＩＮの転送処理を実行する。
【００３２】
ＵＳＢファンクション部１３は内部バス２９及びオーディオコントローラ１２に接続される。更に内部バス２９には、ＣＰＵ１５、ＲＯＭ１６、ＲＡＭ１７が接続され、ＵＳＢファンクション部１３と相互に接続される。ＵＳＢファンクション部１３は、内部バス２９を通じてＣＰＵ１５により制御され、この制御によってパソコンと当該オーディオ機器（ＵＳＢ機器）との通信が正常に行われているかを検出することができる。
【００３３】
ＲＯＭ１６は、当該オーディオ機器２において、ＵＳＢケーブル３の接続有無を検出し、ここで検出されたＵＳＢケーブル３の接続有無に基づいて当該オーディオ機器２の表示管２７に通信状態内容を映像表示するようなＵＳＢ接続表示処理プログラムが格納される（図３参照）。もちろん、ＲＯＭ１６には、当該オーディオ機器全体を制御するためのシステムプログラムが格納される。ＲＡＭ１７は、ＵＳＢ接続表示処理プログラムやシステムプログラム等を実行したり、ＵＳＢ音声データＤＩＮを処理する際にワークメモリとして使用される。
【００３４】
上述のＣＰＵ１５は、電源スイッチ２３がオンされると、ＲＯＭ１６からシステムプログラムを読み出して当該オーディオ機器２を起動し、及び、ＵＳＢ接続表示処理プログラムを読み出してＵＳＢファンクション部１３を制御したり、内部バス２９及び入出力インターフェース１４を介してオーディオコントロール部１９及び、表示コントローラ１８を制御する。内部バス２９は入出力インターフェース１４に接続され、ＣＰＵ１５、ＲＯＭ１６、ＲＡＭ１７及びＵＳＢファンクション部１３に相互に接続される。入出力インターフェース１４にはオーディオコントロール部１９及び、表示コントローラ１８が接続される。
【００３５】
オーディオコントロール部１９はオーディオ処理部２０に接続される。オーディオコントロール部１９はＣＰＵ１５からオーディオ制御信号Ｓ２を入力し、このオーディオ制御信号Ｓ２に基づいてオーディオ処理部２０を制御するようになされる。オーディオ処理部２０には図示しない左右チャンネル用のスピーカ４，５が接続される。
【００３６】
オーディオ処理部２０は例えば、パソコン１から受信したＵＳＢ音声情報Ｄｉｎを情報処理した後のオーディオ信号ＳＩＮをＵＳＢファンクション１３から入力し、このオーディオ信号ＳＩＮを音声処理した後の左チャンネル用のオーディオ信号Ｌｏｕｔを左チャンネル用のスピーカ４に出力したり、同様に音声処理した後の右チャンネル用のオーディオ信号Ｒｏｕｔを右チャンネル用のスピーカ５に出力する。
【００３７】
また、オーディオコントロール部１９にはコンパクトディスク（以下ＣＤという）再生部４５が接続され、図示しないＣＤを装着され後に、当該ＣＤを再生し、ＣＤ再生信号Ｓｃｄを出力するようになされる。ＣＤ再生信号Ｓｃｄは、オーディオコントロール部１９の制御を受けてオーディオ処理部２０に入力される。オーディオ処理部２０では、ＣＤ再生部４５から入力したＣＤ再生信号Ｓｃｄを音声処理し、この信号処理後の左チャンネル用のオーディオ信号Ｌｏｕｔをスピーカ４に出力したり、同様に音声処理した後の右チャンネル用のオーディオ信号Ｒｏｕｔをスピーカ５に出力する。
【００３８】
表示コントローラ１８は表示手段の一例となる表示管２７に接続される。表示コントローラ１８はＣＰＵ１５から表示制御信号Ｓ３を入力し、この表示制御信号Ｓ３に基づいて表示管２７を表示制御する。表示管２７には平面表示素子や液晶ディスプレイ等が使用される。例えば、表示コントローラ１８は、ＵＳＢコネクタ部１１により検出されたＵＳＢケーブル３の接続有無に基づいて通信状態内容を映像表示するように表示管２７を制御する。表示管２７は、表示コントローラ１８の表示制御を受けて通信状態内容を映像表示する。ユーザに知らせる通信状態の内容としては、次のような出力例が採られる。
【００３９】
▲１▼  文字表示；
ＵＳＢケーブル３未接続状態を示す「ＵＳＢ  ＯＦＦ」や、パソコン１とのＵＳＢケーブル３の接続状態を示す「ＵＳＢ  ＯＰＥＮ」等を表示する。
【００４０】
▲２▼  ＬＥＤ表示；
ＬＥＤを点灯し、又は消灯、あるいは点滅（点滅周期、点滅時間の変化）等を組み合わせて表示する。例えば、赤色のＬＥＤを点灯してＵＳＢケーブル未接続状態を表示したり、緑色のＬＥＤを点灯してパソコン１とのＵＳＢケーブル３の接続状態を表示する。赤色及び緑色のＬＥＤの組み合わせで、緑を消灯し、赤色のＬＥＤを点灯あるいは点滅してＵＳＢケーブル未接続状態を表示したり、赤色を消灯して、緑色のＬＥＤを点灯してパソコン１とのＵＳＢケーブル３の接続状態を表示する。
【００４１】
▲３▼  音声出力；
ＵＳＢケーブル未接続状態、あるいは、パソコン１とのＵＳＢケーブル３の接続状態を音声によるメッセージを流す。
【００４２】
▲４▼  画像表示；
ＵＳＢケーブル未接続状態、あるいは、パソコン１とのＵＳＢケーブル３の接続状態をイメージできる画像を表示する。例えば、ＵＳＢケーブル未接続を示すＵＳＢプラグをアイコン表示する。
【００４３】
続いて、本発明に係る第１の情報処理方法について説明をする。図３は、オーディオ機器２におけるＵＳＢ接続表示処理例を示すフローチャートである。
【００４４】
この実施形態で所定の通信規格の信号線には、ＵＳＢケーブル３が使用され、情報処理装置には、ＵＳＢスピーカ機能内蔵のオーディオ機器（受信側の情報処理系）２が使用される。また、ＵＳＢケーブル３によりパソコン１とオーディオ機器２とを接続して任意のＵＳＢ音声データＤＩＮを処理する場合を前提とし、オーディオ機器２においてＵＳＢケーブル３の接続有無を検出し、ここで検出されたＵＳＢケーブル３の接続有無に基づいて当該オーディオ機器２の表示管２７に通信状態内容を映像表示するようになされる。
【００４５】
これを処理条件にして、図３に示すフローチャートのステップＡ１で、ユーザは、オーディオ機器２の電源スイッチ２３を操作して電源をＯＮする。その後、ステップＡ２に移行してＣＰＵ１５は、ＵＳＢファンクション部１３等を初期化する。そして、ステップＡ３でＵＳＢコネクタ部１１は、パソコン１からのＶｂｕｓ信号が入力されているかを検出する。
【００４６】
Ｖｂｕｓ信号がＵＳＢコネクタ部１１に入力されている場合は、ステップＡ４に移行して、パソコン１と当該オーディオ機器２の接続状態を示す「ＵＳＢ  ＯＰＥＮ」を表示管２７に表示する。ユーザは、この「ＵＳＢ  ＯＰＥＮ」を目視することで、パソコン１と当該オーディオ機器２とが接続されていることを確認することができる。オーディオコントローラ１８は、ユーザのパソコン１から当該オーディオ機器２に任意のＵＳＢ音声データＤＩＮを入力して、再生処理等するようになされる。その後、ステップＡ６に移行する。
【００４７】
なお、ステップＡ３でＶｂｕｓ信号がＵＳＢコネクタ部１１に入力されていない場合、つまり、ＵＳＢコネクタ部１１がパソコン１からのＶｂｕｓ信号を検出できない場合は、ステップＡ５に移行する。ステップＡ５では、パソコン１と当該オーディオ機器２とが未接続状態である旨を示す「ＵＳＢ  ＯＦＦ」を表示管２７に表示する。ユーザは、この「ＵＳＢ  ＯＦＦ」を目視することで、パソコン１と当該オーディオ機器２とが接続されていないことを確認することができる。
【００４８】
その後、ステップＡ６に移行してＵＳＢ機器の電源がＯＦＦか否かを検出する。ＵＳＢ機器の電源スイッチ２３がＯＦＦされた場合は、ＵＳＢ接続表示処理を終了する。ＵＳＢ機器の電源スイッチ２３がＯＦＦされていない場合は、ステップＡ３に戻って上述したＵＳＢ接続表示処理を繰り返すようになされる。
【００４９】
このように、本発明に係る第１の実施形態としての情報処理装置を適用したオーディオ機器及び情報処理方法によれば、ＵＳＢケーブル３をパソコン１に接続して任意のＵＳＢ音声データＤＩＮを処理する場合に、パソコン１に接続されるＵＳＢケーブル３の接続有無がＵＳＢコネクタ部１１によって検出される。表示管２７は、ＵＳＢコネクタ部１１により検出されたＵＳＢケーブル３の接続有無に基づいて通信状態内容を映像表示するようになる。
【００５０】
従って、ＵＳＢスピーカ機能内蔵のオーディオ機器２において、表示管２７に映像表示された通信状態内容から、ユーザは、パソコン１に接続されるＵＳＢケーブル３の接続状態を容易に、かつ、簡単に確認することができる。これにより、ユーザは、ＵＳＢ機器等の接続状態を正しく把握することができ、トラブルを効率よく解決できるようになる。
【００５１】
（２）第２の実施形態
この実施形態のオーディオ機器２は、図２に示したように、ＵＳＢケーブル３によりパソコン１とオーディオ機器２とを接続して任意のＵＳＢ音声データＤＩＮを処理する装置である。第１の実施形態と異なるところは、図２に示したＵＳＢケーブル３を介してＵＳＢコネクタ部１１に接続されるパソコン１に対する通信処理が可能か否かをＣＰＵ１５が判別する点と、ＵＳＢコネクタ部１１により検出されたＵＳＢケーブル３の接続有無及び、ＣＰＵ１５によって判別されたパソコン１に対する通信結果に基づいて通信状態内容をオーディオ機器２に映像表示する表示管２７を備えるものである（第２の情報処理装置）。
【００５２】
図４は本発明に係る第２の実施形態としてのオーディオ機器２におけるＵＳＢ接続表示処理例を示すフローチャートである。この実施形態では、第１の実施形態と同様にして、ＵＳＢケーブル３が使用され、情報処理装置には、ＵＳＢスピーカ機能内蔵のオーディオ機器２が使用される。
【００５３】
また、ＵＳＢケーブル３によりパソコン１とオーディオ機器２とを接続して任意のＵＳＢ音声データＤＩＮを処理する場合を前提とし、オーディオ機器２においてＵＳＢケーブル３の接続有無を検出し、かつ、パソコン１に対する通信処理が可能か否かを検出し、ここで検出されたＵＳＢケーブル３の接続有無及び、パソコン１に対する通信結果に基づいてオーディオ機器２の表示管２７に通信状態内容を映像表示する場合を例に挙げる（第２の情報処理方法）。
【００５４】
これを処理条件にして、図４に示すフローチャートのステップＢ１で、ユーザは、オーディオ機器２の電源スイッチ２３を操作して電源をＯＮする。その後、ステップＢ２に移行してＣＰＵ１５は、ＵＳＢファンクション部１３等を初期化する。そして、ステップＢ３でＵＳＢコネクタ部１１は、パソコン１からのＶｂｕｓ信号が入力されているかを検出する。
【００５５】
Ｖｂｕｓ信号がＵＳＢコネクタ部１１に入力されている場合は、ステップＢ４に移行して、ＣＰＵ１５はパソコン１（ＰＣ）からＵＳＢ機器（当該オーディオ機器２）に対して通信が行われているかを判別する。この際の判別には、パソコン１のオペレーション・システム（ＯＳ）が当該オーディオ機器２等のＵＳＢ機器を認識する処理を利用する。例えば、パソコン１のＯＳは、ＵＳＢケーブル３によってＵＳＢ機器が接続されると、ＯＳ上でＵＳＢ機器を使用できるようにするために、ＵＳＢ機器が何であるかの情報を送受信するように当該オーディオ機器２と通信処理をする。オーディオ機器２のＣＰＵ１５は、この情報の通信処理を検出することによりパソコン１と接続されたことを判別できる。
【００５６】
従って、パソコン１から当該オーディオ機器２に対して通信処理が行われていると判別した場合は、ステップＢ５に移行してパソコン１と当該オーディオ機器２の接続状態を示す「ＵＳＢ  ＯＰＥＮ」を表示管２７に表示する。ユーザは、この「ＵＳＢ  ＯＰＥＮ」を目視することで、パソコン１と当該オーディオ機器２とが接続されていることを確認することができる。オーディオコントローラ１８は、ユーザのパソコン１から当該オーディオ機器２に任意のＵＳＢ音声データＤＩＮを入力して、再生処理等するようになされる。その後、ステップＢ８に移行する。
【００５７】
上述のステップＢ４でパソコン１から当該オーディオ機器２に対して通信が行われていないと判別した場合は、ステップＢ６に移行してパソコン１から当該オーディオ機器２への通信エラー状態を示す「ＵＳＢ  エラー」を表示管２７に表示する。ユーザは、この「ＵＳＢ  エラー」を目視することで、パソコン１から当該オーディオ機器２へ通信がされていないことを確認することができる。その後、ステップＢ８に移行する。
【００５８】
なお、ステップＢ３でＶｂｕｓ信号がＵＳＢコネクタ部１１に入力されていない場合、つまり、ＵＳＢコネクタ部１１がパソコン１からのＶｂｕｓ信号を検出できない場合は、ステップＢ７に移行する。ステップＢ７では、パソコン１と当該オーディオ機器２とが未接続状態である旨を示す「ＵＳＢ  ＯＦＦ」を表示管２７に表示する。ユーザは、この「ＵＳＢ  ＯＦＦ」を目視することで、パソコン１と当該オーディオ機器２とが接続されていないことを確認することができる。
【００５９】
その後、ステップＢ８に移行してＵＳＢ機器の電源がＯＦＦか否かを検出する。ＵＳＢ機器の電源スイッチ２３がＯＦＦされた場合は、ＵＳＢ接続表示処理を終了する。ＵＳＢ機器の電源スイッチ２３がＯＦＦされていない場合は、ステップＢ３に戻って上述したＵＳＢ接続表示処理を繰り返すようになされる。
【００６０】
このように、本発明に係る第２の実施形態としてのオーディオ機器２及び、情報処理方法によれば、ＵＳＢケーブル３をパソコン１に接続して任意のＵＳＢ音声データＤＩＮを処理する場合に、パソコン１に接続されるＵＳＢケーブル３の接続有無がＵＳＢコネクタ部１１によって検出される。ＣＰＵ１５では、パソコン１に対する通信処理が可能か否かが判別される。表示管２７は、ＵＳＢコネクタ部１１により検出されたＵＳＢケーブル３の接続有無及び、ＣＰＵ１５によって判別されたパソコン１に対する通信結果に基づいて通信状態内容を映像表示するようになされる。
【００６１】
従って、ＵＳＢスピーカ機能内蔵のオーディオ機器２において、表示管２７に映像表示された通信状態内容から、ユーザは、パソコン１に接続されるＵＳＢケーブル３の接続状態を容易に、かつ、簡単に確認することができる。しかも、当該ＵＳＢケーブル３がパソコン１に物理的に接続されている場合であっても、パソコン１に対する通信ができない場合は、パソコン１に対する通信経路が確立されていない旨を表示することができる（故障箇所区分表示）。これにより、ユーザは、当該オーディオ機器２等のＵＳＢ機器の接続状態を正しく把握することができ、トラブルを効率よく解決できるようになる。
【００６２】
（３）第３の実施形態
図５は本発明に係る第３の実施形態としてのオーディオ機器２の適用例を示すシステム図である。
この実施形態では、ＵＳＢ端子装備のオーディオ機器２とパソコン１とをセルフパワーＵＳＢハブ６を介してＵＳＢケーブル３により接続した場合である。セルフパワーＵＳＢハブ６を使用した場合、Ｖｂｕｓ信号は、ＵＳＢハブ６からオーディオ機器２へ供給される。バスパワーＵＳＢハブを使用した場合も、Ｖｂｕｓ信号は、ＵＳＢハブ６等からオーディオ機器２へ供給される。これらのＵＳＢハブ６を使用した場合は、パソコン１−ＵＳＢハブ６間及び、ＵＳＢ機器−ＵＳＢハブ６間のＵＳＢケーブル３が接続されていない状態をＶｂｕｓ信号により判断できるため『ＵＳＢ  ＯＦＦ』を表示管２７に表示できるようになる。
【００６３】
この例でも、オーディオ機器２とＵＳＢハブ６の接続状態は、第１及び第２の実施形態の場合と同様にしてＶｂｕｓ信号を検出することで判別する。つまり、オーディオ機器２−ＵＳＢハブ６間が接続された状態において、「Ｖｂｕｓ信号有り」をＵＳＢコネクタ部１１が検出する。しかし、パソコン１−ＵＳＢハブ６間の接続状態を図３に示したフローチャートでは検出することができない。そこで、図４に示したフローチャートに従って、Ｖｂｕｓ信号の検出に加えてＣＰＵ１５によるパソコン１通信可否が判別される（図４のステップＢ４、Ｂ５参照）。
【００６４】
このとき、ＣＰＵ１５は、パソコン１から当該オーディオ機器２に対して通信が行われていないと判別した場合は、パソコン１から当該オーディオ機器２への通信エラー状態を示す「ＵＳＢ  エラー」を表示管２７に表示する。ユーザは、この「ＵＳＢ  エラー」を目視することで、パソコン１から当該オーディオ機器２へ通信がされていないことを確認することができる。
【００６５】
このように、本発明に係る第３の実施形態としてのＵＳＢ端子装備のオーディオ機器２によれば、当該オーディオ機器２とパソコン１とをセルフパワーＵＳＢハブ６を介してＵＳＢケーブル３により接続した場合に、パソコン１に接続されるＵＳＢケーブル３の接続有無がＵＳＢコネクタ部１１によって検出される。ＣＰＵ１５では、パソコン１に対する通信処理が可能か否かが判別される。表示管２７は、ＵＳＢコネクタ部１１により検出されたＵＳＢケーブル３の接続有無及び、ＣＰＵ１５によって判別されたパソコン１に対する通信結果に基づいて通信状態内容を映像表示するようになされる。
【００６６】
従って、セルフパワーＵＳＢハブ６を介してＵＳＢケーブル３によりパソコン１と接続した場合であっても、ＵＳＢスピーカ機能内蔵のオーディオ機器２において、表示管２７に映像表示された通信状態内容から、ユーザは、パソコン１に接続されるＵＳＢケーブル３の接続状態を容易に、かつ、簡単に確認することができる。しかも、当該ＵＳＢケーブル３がパソコン１に物理的に接続されている場合であっても、パソコン１に対する通信ができない場合は、パソコン１に対する通信経路が確立されていない旨を表示することができる（故障箇所区分表示）。
【００６７】
これにより、ユーザは、当該オーディオ機器２等のＵＳＢ機器の接続状態を正しく把握することができ、トラブルを効率よく解決できるようになる。また、表示手段に関して、ＵＳＢ機器に装備されている表示管２７を利用することができ、新規にコストをかけないで「ＵＳＢ  ＯＦＦ」の表示を実現することができる。
【００６８】
【発明の効果】
以上説明したように、本発明に係る第１の情報処理装置及び情報処理方法によれば、所定の通信規格の信号線を送信側の情報処理系に接続して任意の情報を処理する場合に、送信側の情報処理系に接続される信号線の接続有無に基づいて通信状態内容を映像表示する表示手段を備えるものである。
【００６９】
この構成によって、表示手段に映像表示された通信状態内容から、送信側の情報処理系に接続される信号線の接続状態を容易に、かつ、簡単に確認することができる。ユーザは、ＵＳＢ機器等の接続状態を正しく把握することができ、トラブルを効率よく解決できるようになる。
【００７０】
本発明に係る第２の情報処理装置及び情報処理方法によれば、所定の通信規格の信号線により送信側の情報処理系と受信側の情報処理系とを接続して任意の情報を処理する場合に、送信側の情報処理系に接続される信号線の接続有無及び送信側の情報処理系に対する通信結果に基づいて通信状態内容を映像表示する表示手段を備えるものである。
【００７１】
この構成によって、表示手段に映像表示された通信状態内容から、送信側の情報処理系に接続される信号線の接続状態を容易に、かつ、簡単に確認することができる。しかも、当該信号線が送信側の情報処理系に物理的に接続されている場合であっても、送信側の情報処理系に対する通信ができない場合は、送信側の情報処理系に対する通信経路が確立されていない旨を表示することができる（故障箇所区分表示）。ユーザは、ＵＳＢ機器等の接続状態を正しく把握することができ、トラブルを効率よく解決できるようになる。
【００７２】
この発明は、パーソナルコンピュータに接続可能なＵＳＢ機器を内蔵したオーディオ機器に適用して極めて好適である。
【図面の簡単な説明】
【図１】本発明に係る第１の実施形態としてのオーディオ機器２の適用例を示すシステム図である。
【図２】オーディオ機器本体２１の内部構成例を示すブロック図である。
【図３】オーディオ機器２におけるＵＳＢ接続表示処理例を示すフローチャートである。
【図４】本発明に係る第２の実施形態としてのオーディオ機器２にける他のＵＳＢ接続表示処理例を示すフローチャートである。
【図５】本発明に係る第３の実施形態としてのオーディオ機器２の適用例を示すシステム図である。
【符号の説明】
１・・・パソコン、２・・・オーディオ機器（情報処理装置）、３・・・ＵＳＢケーブル（所定の通信規格の信号線）、４，５・・・スピーカ、６・・・ＵＳＢハブ、１１・・・ＵＳＢコネクタ部（検出手段）、１５・・・ＣＰＵ（制御手段）、２１・・・オーディオ機器本体、２７・・・表示管（表示手段）、２８・・・ＵＳＢ端子
【図１】
2005004445.tif 000003
【図２】
2005004445.tif 000004
【図３】
2005004445.tif 000005
【図４】
2005004445.tif 000006
【図５】
2005004445.tif 000007
【手続補正書】
【提出日】平成16年8月27日(2004.8.27)
【手続補正１】
【補正対象書類名】明細書
【補正対象項目名】特許請求の範囲
【補正方法】変更
【補正の内容】
【特許請求の範囲】
【請求項１】
所定の通信規格の信号線を送信側の情報処理系に接続して任意の情報を処理する装置であって、
前記送信側の情報処理系に接続される前記信号線の接続有無を検出する検出手段と、
前記検出手段により検出された前記信号線の接続有無に基づいて通信状態内容を表示する表示手段とを備えることを特徴とする情報処理装置。
【請求項２】
前記所定の通信規格の信号線は、ＵＳＢ規格の通信ケーブルであることを特徴とする請求項１に記載の情報処理装置。
【請求項３】
所定の通信規格の信号線により送信側の情報処理系と受信側の情報処理系とを接続して任意の情報を処理する装置であって、
前記送信側の情報処理系に接続される前記信号線の接続有無を検出する検出手段と、
前記送信側の情報処理系に対する通信処理が可能か否かを判別する制御手段と、
前記検出手段により検出された前記信号線の接続有無及び前記制御手段によって判別された前記送信側の情報処理系に対する通信結果に基づいて通信状態内容を前記受信側の情報処理系に表示する表示手段とを備えることを特徴とする情報処理装置。
【請求項４】
前記所定の通信規格の信号線は、ＵＳＢ規格の通信ケーブルであることを特徴とする請求項３に記載の情報処理装置。
【請求項５】
所定の通信規格の信号線により送信側の情報処理系と受信側の情報処理系とを接続して任意の情報を処理する方法であって、
前記受信側の情報処理系において前記信号線の接続有無を検出し、
検出された前記信号線の接続有無に基づいて当該受信側の情報処理系に通信状態内容を表示することを特徴とする情報処理方法。
【請求項６】
前記所定の通信規格の信号線には、ＵＳＢ規格の通信ケーブルが使用され、前記受信側の情報処理系には、ＵＳＢ機器内蔵のオーディオ機器が使用されることを特徴とする請求項５に記載の情報処理方法。
【請求項７】
所定の通信規格の信号線により送信側の情報処理系と受信側の情報処理系とを接続して任意の情報を処理する方法であって、
前記受信側の情報処理系において前記信号線の接続有無を検出し、かつ、前記送信側の情報処理系に対する通信処理が可能か否かを検出し、
検出された前記信号線の接続有無及び前記送信側の情報処理系に対する通信結果に基づいて通信状態内容を前記受信側の情報処理系に表示することを特徴とする情報処理方法。
【請求項８】
前記所定の通信規格の信号線には、ＵＳＢ規格の通信ケーブルが使用され、前記受信側の情報処理系には、ＵＳＢ機器内蔵のオーディオ機器が使用されることを特徴とする請求項７に記載の情報処理方法。
【手続補正２】
【補正対象書類名】明細書
【補正対象項目名】０００２
【補正方法】変更
【補正の内容】
【０００２】
詳しくは、ＵＳＢ通信規格の通信ケーブルをパソコンに接続してオーディオ情報等を処理する場合に、パソコンに接続されるＵＳＢ通信ケーブルの接続有無に基づいて通信状態内容を表示する表示手段を備え、この表示手段に表示された通信状態内容から、当該オーディオ機器におけるＵＳＢ通信ケーブルの接続状態を容易に、かつ、簡単に確認できるようにしたものである。


【手続補正３】
【補正対象書類名】明細書
【補正対象項目名】００１３
【補正方法】変更
【補正の内容】
【００１３】
【課題を解決するための手段】
上述した課題は、所定の通信規格の信号線を送信側の情報処理系に接続して任意の情報を処理する装置であって、送信側の情報処理系に接続される信号線の接続有無を検出する検出手段と、この検出手段により検出された信号線の接続有無に基づいて通信状態内容を表示する表示手段とを備えることを特徴とする第１の情報処理装置によって解決される。


【手続補正４】
【補正対象書類名】明細書
【補正対象項目名】００１４
【補正方法】変更
【補正の内容】
【００１４】
本発明に係る第１の情報処理装置によれば、所定の通信規格の信号線を送信側の情報処理系に接続して任意の情報を処理する場合に、送信側の情報処理系に接続される信号線の接続有無が検出手段によって検出される。表示手段では、検出手段により検出された信号線の接続有無に基づいて通信状態内容を表示するようになる。


【手続補正５】
【補正対象書類名】明細書
【補正対象項目名】００１５
【補正方法】変更
【補正の内容】
【００１５】
従って、ＵＳＢ機器内蔵の情報処理装置等において、表示手段に表示された通信状態内容から、ユーザは、送信側の情報処理系に接続される信号線の接続状態を容易に、かつ、簡単に確認することができる。


【手続補正６】
【補正対象書類名】明細書
【補正対象項目名】００１６
【補正方法】変更
【補正の内容】
【００１６】
本発明に係る第２の情報処理装置は、所定の通信規格の信号線により送信側の情報処理系と受信側の情報処理系とを接続して任意の情報を処理する装置であって、送信側の情報処理系に接続される信号線の接続有無を検出する検出手段と、この送信側の情報処理系に対する通信処理が可能か否かを判別する制御手段と、検出手段により検出された信号線の接続有無及び制御手段によって判別された送信側の情報処理系に対する通信結果に基づいて通信状態内容を受信側の情報処理系に表示する表示手段とを備えることを特徴とするものである。


【手続補正７】
【補正対象書類名】明細書
【補正対象項目名】００１７
【補正方法】変更
【補正の内容】
【００１７】
本発明に係る第２の情報処理装置によれば、所定の通信規格の信号線を送信側の情報処理系に接続して任意の情報を処理する場合に、送信側の情報処理系に接続される信号線の接続有無が検出手段によって検出される。制御手段では、送信側の情報処理系に対する通信処理が可能か否かが判別される。表示手段では、検出手段により検出された信号線の接続有無及び制御手段によって判別された送信側の情報処理系に対する通信結果に基づいて通信状態内容を受信側の情報処理系に表示するようになされる。


【手続補正８】
【補正対象書類名】明細書
【補正対象項目名】００１８
【補正方法】変更
【補正の内容】
【００１８】
従って、ＵＳＢ機器内蔵の情報処理装置等において、表示手段に表示された通信状態内容から、ユーザは、送信側の情報処理系に接続される信号線の接続状態を容易に、かつ、簡単に確認することができる。しかも、当該信号線が送信側の情報処理系に物理的に接続されている場合であっても、送信側の情報処理系に対する通信ができない場合は、送信側の情報処理系に対する通信経路が確立されていない旨を表示することができる（故障箇所区分表示）。


【手続補正９】
【補正対象書類名】明細書
【補正対象項目名】００１９
【補正方法】変更
【補正の内容】
【００１９】
本発明に係る第１の情報処理方法は、所定の通信規格の信号線により送信側の情報処理系と受信側の情報処理系とを接続して任意の情報を処理する方法であって、受信側の情報処理系において信号線の接続有無を検出し、ここで検出された信号線の接続有無に基づいて当該受信側の情報処理系に通信状態内容を表示することを特徴とするものである。


【手続補正１０】
【補正対象書類名】明細書
【補正対象項目名】００２０
【補正方法】変更
【補正の内容】
【００２０】
本発明に係る第１の情報処理方法によれば、所定の通信規格の信号線により送信側の情報処理系と受信側の情報処理系とを接続して任意の情報を処理する場合に、受信側の情報処理系に表示された通信状態内容から、信号線の接続状態を容易に、かつ、簡単に確認することができる。


【手続補正１１】
【補正対象書類名】明細書
【補正対象項目名】００２１
【補正方法】変更
【補正の内容】
【００２１】
本発明に係る第２の情報処理方法は、所定の通信規格の信号線により送信側の情報処理系と受信側の情報処理系とを接続して任意の情報を処理する方法であって、受信側の情報処理系において信号線の接続有無を検出し、かつ、送信側の情報処理系に対する通信処理が可能か否かを検出し、ここで検出された信号線の接続有無及び送信側の情報処理系に対する通信結果に基づいて通信状態内容を受信側の情報処理系に表示することを特徴とするものである。


【手続補正１２】
【補正対象書類名】明細書
【補正対象項目名】００２２
【補正方法】変更
【補正の内容】
【００２２】
本発明に係る第２の情報処理方法によれば、所定の通信規格の信号線により送信側の情報処理系と受信側の情報処理系とを接続して任意の情報を処理する場合に、受信側の情報処理系に表示された通信状態内容から、信号線の接続状態を容易に、かつ、簡単に確認することができる。しかも、当該信号線が情報処理系に物理的に接続されている場合であっても、送信側の情報処理系に対する通信ができない場合は、送信側の情報処理系に対する通信経路が確立されていない旨を表示することができる（故障箇所区分表示）。これにより、ユーザは、ＵＳＢ機器等の接続状態を正しく把握することができ、トラブルを効率よく解決できるようになる。


【手続補正１３】
【補正対象書類名】明細書
【補正対象項目名】００２３
【補正方法】変更
【補正の内容】
【００２３】
【発明の実施の形態】
続いて、この発明に係る情報処理装置及び情報処理方法の一実施の形態について、図面を参照しながら説明をする。
（１）第１の実施形態
図１は本発明に係る第１の実施形態としてのオーディオ機器２の適用例を示すシステム図である。
この実施形態ではＵＳＢ通信規格の通信ケーブルをパーソナルコンピュータ（送信側の情報処理系：以下単にパソコンという）に接続してオーディオ情報等を処理する場合に、パソコンに接続されるＵＳＢ通信ケーブルの接続有無に基づいて通信状態内容を表示する表示手段を備え、この表示手段に表示された通信状態内容から、当該オーディオ機器におけるＵＳＢ通信規格の通信ケーブルの接続状態を容易に、かつ、簡単に確認できるようにしたものである。


【手続補正１４】
【補正対象書類名】明細書
【補正対象項目名】００３２
【補正方法】変更
【補正の内容】
【００３２】
ＵＳＢファンクション部１３は内部バス２９及びオーディオコントロール部１９に接続される。更に内部バス２９には、ＣＰＵ１５、ＲＯＭ１６、ＲＡＭ１７が接続され、ＵＳＢファンクション部１３と相互に接続される。ＵＳＢファンクション部１３は、内部バス２９を通じてＣＰＵ１５により制御され、この制御によってパソコンと当該オーディオ機器（ＵＳＢ機器）との通信が正常に行われているかを検出することができる。


【手続補正１５】
【補正対象書類名】明細書
【補正対象項目名】００３３
【補正方法】変更
【補正の内容】
【００３３】
ＲＯＭ１６は、当該オーディオ機器２において、ＵＳＢケーブル３の接続有無を検出し、ここで検出されたＵＳＢケーブル３の接続有無に基づいて当該オーディオ機器２の表示管２７に通信状態内容を表示するようなＵＳＢ接続表示処理プログラムが格納される（図３参照）。もちろん、ＲＯＭ１６には、当該オーディオ機器全体を制御するためのシステムプログラムが格納される。ＲＡＭ１７は、ＵＳＢ接続表示処理プログラムやシステムプログラム等を実行したり、ＵＳＢ音声データＤINを処理する際にワークメモリとして使用される。


【手続補正１６】
【補正対象書類名】明細書
【補正対象項目名】００３８
【補正方法】変更
【補正の内容】
【００３８】
表示コントローラ１８は表示手段の一例となる表示管２７に接続される。表示コントローラ１８はＣＰＵ１５から表示制御信号Ｓ３を入力し、この表示制御信号Ｓ３に基づいて表示管２７を表示制御する。表示管２７には平面表示素子や液晶ディスプレイ等が使用される。例えば、表示コントローラ１８は、ＵＳＢコネクタ部１１により検出されたＵＳＢケーブル３の接続有無に基づいて通信状態内容を表示するように表示管２７を制御する。表示管２７は、表示コントローラ１８の表示制御を受けて通信状態内容を表示する。ユーザに知らせる通信状態の内容としては、次のような出力例が採られる。


【手続補正１７】
【補正対象書類名】明細書
【補正対象項目名】００４４
【補正方法】変更
【補正の内容】
【００４４】
この実施形態で所定の通信規格の信号線には、ＵＳＢケーブル３が使用され、情報処理装置には、ＵＳＢスピーカ機能内蔵のオーディオ機器（受信側の情報処理系）２が使用される。また、ＵＳＢケーブル３によりパソコン１とオーディオ機器２とを接続して任意のＵＳＢ音声データＤINを処理する場合を前提とし、オーディオ機器２においてＵＳＢケーブル３の接続有無を検出し、ここで検出されたＵＳＢケーブル３の接続有無に基づいて当該オーディオ機器２の表示管２７に通信状態内容を表示するようになされる。


【手続補正１８】
【補正対象書類名】明細書
【補正対象項目名】００４９
【補正方法】変更
【補正の内容】
【００４９】
このように、本発明に係る第１の実施形態としての情報処理装置を適用したオーディオ機器及び情報処理方法によれば、ＵＳＢケーブル３をパソコン１に接続して任意のＵＳＢ音声データＤINを処理する場合に、パソコン１に接続されるＵＳＢケーブル３の接続有無がＵＳＢコネクタ部１１によって検出される。表示管２７は、ＵＳＢコネクタ部１１により検出されたＵＳＢケーブル３の接続有無に基づいて通信状態内容を表示するようになる。


【手続補正１９】
【補正対象書類名】明細書
【補正対象項目名】００５０
【補正方法】変更
【補正の内容】
【００５０】
従って、ＵＳＢスピーカ機能内蔵のオーディオ機器２において、表示管２７に表示された通信状態内容から、ユーザは、パソコン１に接続されるＵＳＢケーブル３の接続状態を容易に、かつ、簡単に確認することができる。これにより、ユーザは、ＵＳＢ機器等の接続状態を正しく把握することができ、トラブルを効率よく解決できるようになる。


【手続補正２０】
【補正対象書類名】明細書
【補正対象項目名】００５１
【補正方法】変更
【補正の内容】
【００５１】
（２）第２の実施形態
この実施形態のオーディオ機器２は、図２に示したように、ＵＳＢケーブル３によりパソコン１とオーディオ機器２とを接続して任意のＵＳＢ音声データＤINを処理する装置である。第１の実施形態と異なるところは、図２に示したＵＳＢケーブル３を介してＵＳＢコネクタ部１１に接続されるパソコン１に対する通信処理が可能か否かをＣＰＵ１５が判別する点と、ＵＳＢコネクタ部１１により検出されたＵＳＢケーブル３の接続有無及び、ＣＰＵ１５によって判別されたパソコン１に対する通信結果に基づいて通信状態内容をオーディオ機器２に表示する表示管２７を備えるものである（第２の情報処理装置）。


【手続補正２１】
【補正対象書類名】明細書
【補正対象項目名】００５３
【補正方法】変更
【補正の内容】
【００５３】
また、ＵＳＢケーブル３によりパソコン１とオーディオ機器２とを接続して任意のＵＳＢ音声データＤINを処理する場合を前提とし、オーディオ機器２においてＵＳＢケーブル３の接続有無を検出し、かつ、パソコン１に対する通信処理が可能か否かを検出し、ここで検出されたＵＳＢケーブル３の接続有無及び、パソコン１に対する通信結果に基づいてオーディオ機器２の表示管２７に通信状態内容を表示する場合を例に挙げる（第２の情報処理方法）。


【手続補正２２】
【補正対象書類名】明細書
【補正対象項目名】００６０
【補正方法】変更
【補正の内容】
【００６０】
このように、本発明に係る第２の実施形態としてのオーディオ機器２及び、情報処理方法によれば、ＵＳＢケーブル３をパソコン１に接続して任意のＵＳＢ音声データＤINを処理する場合に、パソコン１に接続されるＵＳＢケーブル３の接続有無がＵＳＢコネクタ部１１によって検出される。ＣＰＵ１５では、パソコン１に対する通信処理が可能か否かが判別される。表示管２７は、ＵＳＢコネクタ部１１により検出されたＵＳＢケーブル３の接続有無及び、ＣＰＵ１５によって判別されたパソコン１に対する通信結果に基づいて通信状態内容を表示するようになされる。


【手続補正２３】
【補正対象書類名】明細書
【補正対象項目名】００６１
【補正方法】変更
【補正の内容】
【００６１】
従って、ＵＳＢスピーカ機能内蔵のオーディオ機器２において、表示管２７に表示された通信状態内容から、ユーザは、パソコン１に接続されるＵＳＢケーブル３の接続状態を容易に、かつ、簡単に確認することができる。しかも、当該ＵＳＢケーブル３がパソコン１に物理的に接続されている場合であっても、パソコン１に対する通信ができない場合は、パソコン１に対する通信経路が確立されていない旨を表示することができる（故障箇所区分表示）。これにより、ユーザは、当該オーディオ機器２等のＵＳＢ機器の接続状態を正しく把握することができ、トラブルを効率よく解決できるようになる。


【手続補正２４】
【補正対象書類名】明細書
【補正対象項目名】００６５
【補正方法】変更
【補正の内容】
【００６５】
このように、本発明に係る第３の実施形態としてのＵＳＢ端子装備のオーディオ機器２によれば、当該オーディオ機器２とパソコン１とをセルフパワーＵＳＢハブ６を介してＵＳＢケーブル３により接続した場合に、パソコン１に接続されるＵＳＢケーブル３の接続有無がＵＳＢコネクタ部１１によって検出される。ＣＰＵ１５では、パソコン１に対する通信処理が可能か否かが判別される。表示管２７は、ＵＳＢコネクタ部１１により検出されたＵＳＢケーブル３の接続有無及び、ＣＰＵ１５によって判別されたパソコン１に対する通信結果に基づいて通信状態内容を表示するようになされる。


【手続補正２５】
【補正対象書類名】明細書
【補正対象項目名】００６６
【補正方法】変更
【補正の内容】
【００６６】
従って、セルフパワーＵＳＢハブ６を介してＵＳＢケーブル３によりパソコン１と接続した場合であっても、ＵＳＢスピーカ機能内蔵のオーディオ機器２において、表示管２７に表示された通信状態内容から、ユーザは、パソコン１に接続されるＵＳＢケーブル３の接続状態を容易に、かつ、簡単に確認することができる。しかも、当該ＵＳＢケーブル３がパソコン１に物理的に接続されている場合であっても、パソコン１に対する通信ができない場合は、パソコン１に対する通信経路が確立されていない旨を表示することができる（故障箇所区分表示）。


【手続補正２６】
【補正対象書類名】明細書
【補正対象項目名】００６８
【補正方法】変更
【補正の内容】
【００６８】
【発明の効果】
以上説明したように、本発明に係る第１の情報処理装置及び情報処理方法によれば、所定の通信規格の信号線を送信側の情報処理系に接続して任意の情報を処理する場合に、送信側の情報処理系に接続される信号線の接続有無に基づいて通信状態内容を表示する表示手段を備えるものである。


【手続補正２７】
【補正対象書類名】明細書
【補正対象項目名】００６９
【補正方法】変更
【補正の内容】
【００６９】
この構成によって、表示手段に表示された通信状態内容から、送信側の情報処理系に接続される信号線の接続状態を容易に、かつ、簡単に確認することができる。ユーザは、ＵＳＢ機器等の接続状態を正しく把握することができ、トラブルを効率よく解決できるようになる。


【手続補正２８】
【補正対象書類名】明細書
【補正対象項目名】００７０
【補正方法】変更
【補正の内容】
【００７０】
本発明に係る第２の情報処理装置及び情報処理方法によれば、所定の通信規格の信号線により送信側の情報処理系と受信側の情報処理系とを接続して任意の情報を処理する場合に、送信側の情報処理系に接続される信号線の接続有無及び送信側の情報処理系に対する通信結果に基づいて通信状態内容を表示する表示手段を備えるものである。


【手続補正２９】
【補正対象書類名】明細書
【補正対象項目名】００７１
【補正方法】変更
【補正の内容】
【００７１】
この構成によって、表示手段に表示された通信状態内容から、送信側の情報処理系に接続される信号線の接続状態を容易に、かつ、簡単に確認することができる。しかも、当該信号線が送信側の情報処理系に物理的に接続されている場合であっても、送信側の情報処理系に対する通信ができない場合は、送信側の情報処理系に対する通信経路が確立されていない旨を表示することができる（故障箇所区分表示）。ユーザは、ＵＳＢ機器等の接続状態を正しく把握することができ、トラブルを効率よく解決できるようになる。


【手続補正３０】
【補正対象書類名】図面
【補正対象項目名】図２
【補正方法】変更
【補正の内容】
【図２】
2005004445.tif 000008